(57)【特許請求の範囲】
【請求項１】
物体側から順に、負の屈折力を有する第１レンズと、負の屈折力を有する第２レンズと、正の屈折力を有する第３レンズと、開口絞りと、正の屈折力を有する第４レンズとで構成され、前記第２レンズおよび前記第４レンズをそれぞれ構成する材料のｄ線に対する屈折率が１．６以上に設定され、
下記条件式（１）を満足することを特徴とする撮像レンズ。
−５．４９≦ｆ１／ｆ≦−４．９９  ・・・（１）
但し、ｆ１は前記第１レンズの焦点距離、ｆは撮像レンズ全系の焦点距離を示す。
【請求項２】
前記第１レンズは物体側に凸面を向け、前記第２レンズは像側に凹面を向け、前記第３レンズは物体側に凸面を向けることを特徴とする請求項１に記載の撮像レンズ。
【請求項３】
前記第１レンズを構成する材料のｄ線に対するアッベ数が４０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定されることを特徴とする請求項１または２に記載の撮像レンズ。
【請求項４】
前記第１レンズは硝子材料で形成されることを特徴とする請求項１乃至３のいずれかに記載の撮像レンズ。
【請求項５】
前記第２レンズと前記第４レンズは硝子材料で形成されることを特徴とする請求項１乃至４のいずれかに記載の撮像レンズ。
【請求項６】
下記条件式（２）を満足することを特徴とする請求項１乃至５のいずれかに記載の撮像レンズ。
２Ｗ≧１８０°    ・・・（２）
但し、２Ｗは、結像面での水平像高位置に入射する光線の全画角である。
【請求項７】
前記第４レンズの像面側の面から結像面までの距離をＢｆ、前記撮像レンズ全系の焦点距離をｆとする時、下記条件式（３）を満足することを特徴とする請求項１乃至６のいずれかに記載の撮像レンズ。
Ｂｆ／ｆ≧２．２    ・・・（３）
【請求項８】
下記条件式（４）乃至（６）を満足することを特徴とする請求項１乃至７のいずれかに記載の撮像レンズ。
−２．７０＜ｆ２／ｆ＜−２．４０  ・・・（４）
２．６５＜ｆ３／ｆ＜２．８０    ・・・（５）
２．００＜ｆ４／ｆ＜２．１５    ・・・（６）
但し、ｆ２は前記第２レンズの焦点距離、ｆ３は前記第３レンズの焦点距離、ｆ４は前記第４レンズの焦点距離、ｆは撮像レンズ全系の焦点距離を示す。
【請求項９】
請求項１乃至８のいずれかに記載の撮像レンズと、当該撮像レンズを介して結像する光学像を電気信号に変換する撮像素子とを有することを特徴とする撮像装置。
【発明の詳細な説明】
【技術分野】
【０００１】
本発明は、監視用カメラや車載用カメラ等、固体撮像素子を備えた撮像装置に用いられる単焦点の広角撮像レンズおよびその撮像レンズを用いた撮像装置に関するものである。
【背景技術】
【０００２】
監視用カメラや車載用カメラに用いられる撮像レンズには、広画角を確保しながら画面全域で結像性能が良いことが要求される。また、搭載スペースが限られることが多いことから小型で軽量であることが要求される。
【０００３】
これらの要望に対応し得る可能性がある単焦点の広角撮像レンズとして、下記の特許文献１、２、３が提案されている。また、今後は運転支援を目的として自動車の様々な箇所にカメラを付けることが求められているため、更なる小型化が求められている。
【先行技術文献】
【特許文献】
【０００４】
【特許文献１】特開２００８−２６８２６８号公報
【特許文献２】特開２００９−００８８６７号公報
【特許文献３】特開２０１０−０５４６４６号公報
【発明の概要】
【発明が解決しようとする課題】
【０００５】
本発明は、上記の点に鑑みて成されたものであり、目的とするのは、自動車等の様々な箇所に搭載可能な大きさであり、広い視野を確保しながら画面全域で結像性能が良く、高い光学性能を持つ広角撮像レンズ及びそれを用いた撮像装置を提供することである。
【課題を解決するための手段】
【０００６】
上記目的を達成すため本発明では、物体側から順に、負の屈折力を有する第１レンズと、負の屈折力を有する第２レンズと、正の屈折力を有する第３レンズと、開口絞りと、正の屈折力を有する第４レンズとで構成され、前記第２レンズおよび前記第４レンズをそれぞれ構成する材料のｄ線に対する屈折率が１．６以上に設定され、下記条件式（１）を満足することを特徴とする。
【０００７】
−５．４９≦ｆ１／ｆ≦−４．９９  ・・・（１）
但し、ｆ１は前記第１レンズの焦点距離、ｆは撮像レンズ全系の焦点距離を示す。
【０００８】
好ましくは、前記第１レンズは物体側に凸面を向け、前記第２レンズは像側に凹面を向け、前記第３レンズは物体側に凸面を向けることを特徴とする。
【０００９】
好ましくは、前記第１レンズを構成する材料のｄ線に対するアッベ数が４０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定されることを特徴とする。
【００１０】
好ましくは、前記第１レンズは硝子材料で形成されることを特徴とする。
【００１１】
好ましくは、前記第２レンズと前記第４レンズは硝子材料で形成されることを特徴とする。
【００１２】
好ましくは、下記条件式（２）を満足することを特徴とする。
【００１３】
２Ｗ≧１８０°    ・・・（２）
但し、２Ｗは、結像面での水平像高位置に入射する光線の全画角である。
【００１４】
好ましくは、前記第４レンズの像面側の面から結像面までの距離をＢｆ、前記撮像レンズ全系の焦点距離をｆとする時、下記条件式（３）を満足することを特徴とする。
【００１５】
Ｂｆ／ｆ≧２．２    ・・・（３）
【００１６】
好ましくは、下記条件式（４）乃至（６）を満足することを特徴とする。
【００１７】
−２．７０＜ｆ２／ｆ＜−２．４０  ・・・（４）
２．６５＜ｆ３／ｆ＜２．８０    ・・・（５）
２．００＜ｆ４／ｆ＜２．１５    ・・・（６）
但し、ｆ２は前記第２レンズの焦点距離、ｆ３は前記第３レンズの焦点距離、ｆ４は前記第４レンズの焦点距離、ｆは撮像レンズ全系の焦点距離を示す。
【００１８】
上記課題を解決するために、本発明の撮像装置は、上述のいずれかの撮像レンズと、その撮像レンズにより形成される光学像を電気信号に変換する撮像素子とを有することを特徴とする。
【発明の効果】
【００１９】
本発明によれば、自動車等の様々な箇所に搭載可能な大きさであり、広い視野を確保しながら画面全域で結像性能が良く、高い光学性能を持つ広角撮像レンズを提供することができる。その結果、監視カメラや車載用カメラに搭載可能なコンパクトな広角撮像レンズ及びそれを用いた撮像装置を実現することができる。
【図面の簡単な説明】
【００２０】
【図１】本発明の実施形態の撮像レンズの基本構成を示す図である。
【図２】実施例１において採用した撮像レンズの構成を示す図である。
【図３】実施例１において、球面収差、歪曲収差、および非点収差を示す収差図である。
【図４】実施例２において採用した撮像レンズの構成を示す図である。
【図５】実施例２において、球面収差、歪曲収差、および非点収差を示す収差図である。
【図６】実施例３において採用した撮像レンズの構成を示す図である。
【図７】実施例３において、球面収差、歪曲収差、および非点収差を示す収差図である。
【図８】実施例４において採用した撮像レンズの構成を示す図である。
【図９】実施例４において、球面収差、歪曲収差、および非点収差を示す収差図である。
【図１０】実施例５において採用した撮像レンズの構成を示す図である。
【図１１】実施例５において、球面収差、歪曲収差、および非点収差を示す収差図である。
【図１２】実施例１乃至５において、ｆ１／ｆと３次のコマ収差係数の関係を示す図である。
【図１３】本実施形態の撮像装置の基本構成を示す図である。
【発明を実施するための形態】
【００２１】
以下、図面を参照しながら、本発明の実施形態を詳細に説明する。図１に実施の形態のレンズ構成をそれぞれ光学断面で示す。これらの実施形態は物体側から順に、第１レンズ１１０、第２レンズ１２０、第３レンズ１３０、開口絞り１４０、第４レンズ１５０、ガラス板１６０、ＣＣＤ(Charge Coupled Device)やＣＭＯＳ(Complementary Metal-Oxide Semiconductor device)等の撮像素子１７０が配置される４枚構成の単焦点の撮像レンズ１００である。
【００２２】
本発明を実施した撮像レンズで４枚のレンズは、物体側から順に、負の屈折力を有する第１レンズ１１０、負の屈折力を有する第２レンズ１２０、正の屈折力を有する第３レンズ１３０と、開口絞り１４０と、正の屈折力を有する第４レンズ１５０のように配列されている。また、図１に記載の１（Ｒ１）〜１１（Ｒ１０）は、各構成要件の面番号である。
【００２３】
開口絞り１４０は第３レンズ１３０と第４レンズ１５０との間に配置している。開口絞り１４０を第４レンズ１５０より像側に配置するとレンズ系が大型化することにより好ましくなく、また第２レンズ１２０と第３レンズ１３０との間に配置するとバックフォーカスが長くなることに対して不利になり好ましくない。よって上述した第３レンズ１３０と第４レンズ１５０との間に配置することで諸収差の良好な補正およびレンズ系のコンパクト化が可能となる。
【００２４】
第２レンズ１２０と第４レンズ１５０を構成する材料のｄ線に対する屈折率が１．６以上にそれぞれ設定される。これにより、小型化を目指す本光学系において、開口絞り１４０よりも物体側にある負レンズの第２レンズ１２０、開口絞り１４０よりも像面側にある正レンズの第４レンズ１５０により、広角に入射した光線を更に屈折させることができる。
【００２５】
本発明を実施した撮像レンズ１００で好ましくは、条件式（１）を満足するように構成される。  
【００２６】
−５．４９≦ｆ１／ｆ≦−４．９９  ・・・（１）
但し、ｆ１は前記第１レンズの焦点距離、ｆは撮像レンズ全系の焦点距離を示す。
【００２７】
条件式（１）は、レンズ全系の焦点距離に対する第１レンズ１１０を関連づけたものである。超広角系レンズにおいて負の屈折力をレンズ系の前方に配置したレトロフォーカスタイプが一般的である。中でも第１レンズの前玉径の割合が大きい。そこで、負の屈折力を有する第１レンズ１１０の焦点距離を短くすることで小型化するが可能となる。一方、第１レンズ１１０の焦点距離が短くなり過ぎ、上限値を超えると後群レンズによる収差補正が困難となる。
【００２８】
また、第１レンズは物体側に凸面を向け、第２レンズは像側に凹面を向け、第３レンズは物体側に凸面を向けることが好ましい。
【００２９】
第１レンズ１１０では物体側に凸面を向けることで物体側からの光を広画角で入射することが可能となる。同じく第２レンズ１２０では像側に凹面を向けることで物体側からの光を広画角で入射することが可能となる。正の屈折力を有する第３レンズ１３０では物体側に凸面を向けることで、開口絞り１４０に近い箇所の感度を緩くし、製造し易い撮像レンズ１００となる。
【００３０】
また、撮像レンズ１００は、好ましくは第１レンズを構成する材料のｄ線に対するアッベ数が４０以上に、第２レンズを構成する材料のｄ線に対するアッベ数が５０以上に、第３レンズを構成する材料のｄ線に対するアッベ数が４０以下に、第４レンズを構成する材料のｄ線に対するアッベ数が５０以上に、それぞれ設定されることが好ましい。
【００３１】
開口絞り１４０よりも物体側にある負レンズの第１レンズ１１０と第２レンズ１２０と開口絞り１４０よりも像側にある正レンズの第４レンズ１５０を構成する材料のｄ線に対するアッベ数が大きいほど、第１レンズ１１０および第２レンズ１２０、第４レンズ１５０で発生する倍率色収差が小さくなる。また同じく開口絞り１４０よりも物体側にある正レンズの第３レンズ１３０を構成する材料のｄ線に対するアッベ数が小さいほど倍率の色収差を良好に補正できる。
【００３２】
また、第１レンズ１１０は硝子材料で形成されることが好ましい。
【００３３】
第１レンズ１１０を硝子材料で形成することにより、監視用カメラや車載用カメラに適用される物理的耐久性、化学的耐久性などの厳しい環境性能を満足することができる。
【００３４】
また、第２レンズ１２０と第４レンズ１５０は硝子材料で形成されることが好ましい。
【００３５】
第２レンズ１２０と第４レンズ１５０を硝子材料で形成することにより、高屈折率の材料を選択でき、結果として小型且つ収差を良好に補正することが可能となる。
【００３６】
撮像レンズ１００は、好ましくは条件式（２）を満足するように構成される。  
【００３７】
２Ｗ≧１２０°    ・・・（２）
但し、２Ｗは、結像面での水平像高位置に入射する光線の全画角である。
【００３８】
条件式（２）の数値範囲に設定することにより、監視用カメラや車載用カメラとしてより好ましい撮影範囲を確保することが可能となる。
【００３９】
また、撮像レンズ１００は、好ましくは条件式（３）を満足するように構成される。
【００４０】
Ｂｆ／ｆ≧２．２    ・・・（３）
但し、前記第４レンズの像面側の面から結像面までの距離はＢｆ、前記撮像レンズ全系の焦点距離はｆを示す。
【００４１】
条件式（３）は、前記撮像レンズ全系の焦点距離に対する前記第４レンズの像面側の面から結像面までの距離の割合を関連づけたものである。条件式（３）の下限値を超えるとｆに対するＢｆの割合が小さくなるためＩＲカットフィルターやローパスフィルターといった撮像モジュールに欠かすことのできないデバイスを挿入できなくなり、また撮像素子１７０とのドッキングが難しくなる。さらには第４レンズ１５０が撮像素子１７０の発熱の影響を受け易くなり、ガラス転移温度の低い樹脂レンズのケースでは、組成変化に伴う黄変といった問題が想定される。
【００４２】
また、撮像レンズ１００は、好ましくは条件式（４）乃至（６）を満足するように構成される。
−２．７０＜ｆ２／ｆ＜−２．４０  ・・・（４）
２．６５＜ｆ３／ｆ＜２．８０    ・・・（５）
２．００＜ｆ４／ｆ＜２．１５    ・・・（６）
但し、ｆ２は第２レンズの焦点距離、ｆ３は第３レンズの焦点距離、ｆ４は第４レンズの焦点距離、ｆは撮像レンズ全系の焦点距離を示す。
【００４３】
（４）の上限値を超えると負の屈折力が強くなるために第２レンズ像側面の曲率が小さくなりすぎてしまう。また、それに伴って第３レンズ物体側面の曲率も小さくなりすぎてしまうために、製造が難しくなる。下限値を超えると、負の屈折力が減少し第３レンズの正の屈折力が小さくなるために倍率の色収差の補正が困難になる。（５）の上限値を超えると、正の屈折力が不足するために倍率の色収差の補正が困難になる。下限値を超えると第３レンズ物体側面の曲率が小さくなりすぎてしまうために、製造が難しくなる。第４レンズの、特に像側面は収差の補正を大きく行なっているため、（６）の上限値を超えると、正の屈折力が小さくなりすぎて、緒収差の補正が困難になる。逆に下限値を超えると、第４レンズ像側面の曲率が小さくなりすぎてしまうために、製造が難しくなる。
【００４４】
なお、以下の数値実施例の中で記載されるレンズの非球面の形状は、物体側から像面側へ向かう方向を正とし、ｋを円錐係数、Ａは４次の非球面係数を、Ｂは６次の非球面係数を、Ｃは８次の非球面係数を、Ｄは１０次の非球面係数としたとき次式で表される。ｈは光線の高さ、ｃは中心曲率半径の逆数を、Ｚは面頂点に対する接平面からの深さを、それぞれ表している。
【００４５】
【数１】
0006517621.tif 000002
【００４６】
以下に、撮像レンズ１００の具体的な数値による実施例１〜５を示す。実施例１〜５の数値実施例において、Ｆ値、像高、バックフォーカス、半画角は次の表１に記載の通りである。また、同じく実施例１〜５の数値実施例において、条件式（１）〜（６）の数値データは、次の表２に記載の値になる。
なお、実施例１〜５においては、第１レンズ１１０、第２レンズ１２０、第３レンズ１３０および第４レンズ１５０を硝子材料で形成した。
【００４７】
【表１】
0006517621.tif 000003
【００４８】
【表２】
0006517621.tif 000004
【実施例１】
【００４９】
実施の形態１における撮像レンズ１００Ａの基本構成は図２に示され、各数値データ（設定値）は表３、表４に、球面収差、歪曲収差、および非点収差を示す収差図は図３にそれぞれ示される。
【００５０】
図２に示すように、第１レンズ１１０は物体側に凸面を向けたメニスカス形状、第２レンズ１２０は物体側に凸面を向けたメニスカス形状、第３レンズ１３０は物体側に凸面を向けた平凸形状、開口絞り１４０の像側に配置される第４レンズ１５０は像側に凸面を向けた形状を有する。第２レンズ１２０及び第４レンズ１５０は両面に非球面を有する。
【００５１】
また、図２に示すように、第１レンズ１１０の厚さとなるＲ１面１とＲ２面２間の距離をＤ１、第１レンズ１１０のＲ２面２と第２レンズ１２０のＲ３面３までの距離をＤ２、第２レンズ１２０の厚さとなるＲ３面３とＲ４面４間の距離をＤ３、第２レンズ１２０のＲ４面４と第３レンズ１３０のＲ５面５間の距離をＤ４、第３レンズ１３０の厚さとなるＲ５面５とＲ６面６間の距離をＤ５、第３レンズ１３０のＲ６面６と開口絞り１４０の面７までの距離をＤ６、開口絞り１４０の面７と第４レンズ１５０のＲ７面８間の距離をＤ７、第４レンズ１５０の厚さとなるＲ７面８とＲ８面９間の距離をＤ８、第４レンズ１５０のＲ８面９とガラス板１６０のＲ９面１０までの距離をＤ９、ガラス板１６０の厚さとなるＲ９面１０とＲ１０面１１間の距離をＤ１０、ガラス板１６０のＲ１０面１１と撮像素子（結像面）１７０までの距離をＤ１１とする。なお、以降の実施例２〜５においてもＲ１面１〜Ｒ１０面１１、およびＤ１〜Ｄ１１は同様の距離を意味するものとする。
【００５２】
表３は、実施例１における撮像レンズ１００Ａの各面番号に対応した絞り、各レンズの曲率半径Ｒ、間隔Ｄ、屈折率Ｎｄ、およびアッベ数νｄを示している。表３中で面番号に＊がついている面は非球面形状となっていることを示す。表４は、所定面の非球面係数を示している。
＜数値実施例１＞
【００５３】
【表３】
0006517621.tif 000005
【００５４】
【表４】
0006517621.tif 000006
【００５５】
図３は、実施例１において、図３（Ａ）が球面収差（左から435.8nm, 486.1nm, 546.1nm, 587.6nm, 656.3nm）を、図３（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図３（Ｃ）が歪曲収差（435.8nm, 486.1nm, 546.1nm, 587.6nm, 656.3nmが重なっている）をそれぞれ示している。図３（Ｂ）、（Ｃ）の縦軸は半画角ωを表し、図３（Ｂ）中、実線Ｓはサジタル像面の値、破線Ｔはタンジェンシャル像面の値をそれぞれ示している（図５、７、９、１１においても同様である）。図３からわかるように、実施例１によれば、球面、歪曲、非点の諸収差が良好に補正され、結像性能に優れた撮像レンズ１００Ａが得られる。
【実施例２】
【００５６】
実施の形態２における撮像レンズ１００Ｂの基本構成は図４に示され、各数値データ（設定値）は表５、表６に、球面収差、歪曲収差、および非点収差を示す収差図は図５にそれぞれ示される。
【００５７】
この実施例２における撮像レンズ１００Ｂは、ｆ１／ｆが−５．１８であり、高い光学性能を持つ広角撮像レンズを提供することを目的に設計されている。
【００５８】
図４に示すように、第１レンズ１１０は物体側に凸面を向けたメニスカス形状、第２レンズ１２０は物体側に凸面を向けたメニスカス形状、第３レンズ１３０は物体側に凸面を向けた平凸形状、開口絞り１４０の像側に配置される第４レンズ１５０は像側に凸面を向けた形状を有する。第２レンズ１２０及び第４レンズ１５０は両面に非球面を有する。
【００５９】
表５は、実施例２における撮像レンズ１００Ｂの各面番号に対応した絞り、各レンズの曲率半径Ｒ、間隔Ｄ、屈折率Ｎｄ、およびアッベ数νｄを示している。表５中で面番号に＊がついている面は非球面形状となっていることを示す。表６は、所定面の非球面係数を示している。
＜数値実施例２＞
【００６０】
【表５】
0006517621.tif 000007
【００６１】
【表６】
0006517621.tif 000008
【００６２】
図５は、実施例２において、図５（Ａ）が球面収差（左から435.8nm, 486.1nm, 546.1nm, 587.6nm, 656.3nm）を、図５（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図５（Ｃ）が歪曲収差（435.8nm, 486.1nm, 546.1nm, 587.6nm, 656.3nmが重なっている）をそれぞれ示している。図５からわかるように、実施例２によれば、球面、歪曲、非点の諸収差が良好に補正され、結像性能に優れた撮像レンズ１００Ｂが得られる。
【実施例３】
【００６３】
実施の形態３における撮像レンズ１００Ｃの基本構成は図６に示され、各数値データ（設定値）は表７、表８に、球面収差、歪曲収差、および非点収差を示す収差図は図７にそれぞれ示される。
【００６４】
この実施例３における撮像レンズ１００Ｃは、ｆ１／ｆが−５．２７であり、高い光学性能を持つ広角撮像レンズを提供することを目的に設計されている。
【００６５】
図６に示すように、第１レンズ１１０は物体側に凸面を向けたメニスカス形状、第２レンズ１２０は物体側に凸面を向けたメニスカス形状、第３レンズ１３０は物体側に凸面を向けた平凸形状、開口絞り１４０の像側に配置される第４レンズ１５０は像側に凸面を向けた形状を有する。第２レンズ１２０及び第４レンズ１５０は両面に非球面を有する。
【００６６】
表７は、実施例３における撮像レンズ１００Ｃの各面番号に対応した絞り、各レンズの曲率半径Ｒ、間隔Ｄ、屈折率Ｎｄ、およびアッベ数νｄを示している。表７中で面番号に＊がついている面は非球面形状となっていることを示す。表８は、所定面の非球面係数を示している。
＜数値実施例３＞
【００６７】
【表７】
0006517621.tif 000009
【００６８】
【表８】
0006517621.tif 000010
【００６９】
図７は、実施例3おいて、図７（Ａ）が球面収差（左から435.8nm, 486.1nm, 546.1nm, 587.6nm, 656.3nm）を、図７（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図７（Ｃ）が歪曲収差（435.8nm, 486.1nm, 546.1nm, 587.6nm, 656.3nmが重なっている）をそれぞれ示している。図７からわかるように、実施例３によれば、球面、歪曲、非点の諸収差が良好に補正され、結像性能に優れた撮像レンズ１００Ｃが得られる。
【実施例４】
【００７０】
実施の形態４における撮像レンズ１００Ｄの基本構成は図８に示され、各数値データ（設定値）は表９、表１０に、球面収差、歪曲収差、および非点収差を示す収差図は図９にそれぞれ示される。
【００７１】
この実施例４における撮像レンズ１００Ｄは、ｆ１／ｆが−５．３８であり、高い光学性能を持つ広角撮像レンズを提供することを目的に設計されている。
【００７２】
図８に示すように、第１レンズ１１０は物体側に凸面を向けたメニスカス形状、第２レンズ１２０は物体側に凸面を向けたメニスカス形状、第３レンズ１３０は物体側に凸面を向けた平凸形状、開口絞り１４０の像側に配置される第４レンズ１５０は像側に凸面を向けた形状を有する。第２レンズ１２０及び第４レンズ１５０は両面に非球面を有する。
【００７３】
表９は、実施例４における撮像レンズ１００Ｄの各面番号に対応した絞り、各レンズの曲率半径Ｒ、間隔Ｄ、屈折率Ｎｄ、およびアッベ数νｄを示している。表９中で面番号に＊がついている面は非球面形状となっていることを示す。表１０は、所定面の非球面係数を示している。
＜数値実施例４＞
【００７４】
【表９】
0006517621.tif 000011
【００７５】
【表１０】
0006517621.tif 000012
【００７６】
図９は、実施例４おいて、図９（Ａ）が球面収差（左から435.8nm, 486.1nm, 546.1nm, 587.6nm, 656.3nm）を、図９（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図９（Ｃ）が歪曲収差（435.8nm, 486.1nm, 546.1nm, 587.6nm, 656.3nmが重なっている）をそれぞれ示している。図９からわかるように、実施例４によれば、球面、歪曲、非点の諸収差が良好に補正され、結像性能に優れた撮像レンズ１００Ｄが得られる。
【実施例５】
【００７７】
実施の形態５における撮像レンズ１００Ｅの基本構成は図１０に示され、各数値データ（設定値）は表１１、表１２に、球面収差、歪曲収差、および非点収差を示す収差図は図１１にそれぞれ示される。
【００７８】
この実施例５における撮像レンズ１００Ｅは、ｆ１／ｆが−５．４９であり、高い光学性能を持つ広角撮像レンズを提供することを目的に設計されている。
【００７９】
図１０に示すように、第１レンズ１１０は物体側に凸面を向けたメニスカス形状、第２レンズ１２０は物体側に凸面を向けたメニスカス形状、第３レンズ１３０は物体側に凸面を向けた平凸形状、開口絞り１４０の像側に配置される第４レンズ１５０は像側に凸面を向けた形状を有する。第２レンズ１２０及び第４レンズ１５０は両面に非球面を有する。
【００８０】
表１１は、実施例５における撮像レンズ１００Ｅの各面番号に対応した絞り、各レンズの曲率半径Ｒ、間隔Ｄ、屈折率Ｎｄ、およびアッベ数νｄを示している。表１１中で面番号に＊がついている面は非球面形状となっていることを示す。表１２は、所定面の非球面係数を示している。
＜数値実施例５＞
【００８１】
【表１１】
0006517621.tif 000013
【００８２】
【表１２】
0006517621.tif 000014
【００８３】
図１１は、実施例５において、図１１（Ａ）が球面収差（左から435.8nm, 486.1nm, 546.1nm, 587.6nm, 656.3nm）を、図１１（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図１１（Ｃ）が歪曲収差（435.8nm, 486.1nm, 546.1nm, 587.6nm, 656.3nmが重なっている）をそれぞれ示している。図１１からわかるように、実施例５によれば、球面、歪曲、非点の諸収差が良好に補正され、結像性能に優れた撮像レンズ１００Ｅが得られる。
【００８４】
図１２は、実施例１から実施例５において、ｆ１／ｆと３次のコマ収差係数の関係を示している。図１２から分かるように、−５．４９≦ｆ１／ｆ≦−４．９９であれば、コマ収差係数の基準となる−０．２５以上を確保することができる。
【００８５】
また、本実施形態の撮像レンズによれば、撮像素子を搭載するカメラ等に好適であり、小型、軽量且つ安価でありながら、高い光学性能を持つ広角撮像レンズを備えた撮像装置が実現できる。
【００８６】
図１３に本発明による撮像レンズ１００を用いた撮像装置の実施形態の断面図を示す。撮像レンズ１００およびＣＣＤやＣＭＯＳ等の撮像素子２１０は筐体２２０によって位置関係を規定、保持される。このとき撮像レンズ１００の結像面１７０は撮像素子２１０の受光面に一致するように配置されている。
【００８７】
撮像レンズ１００によって取り込まれ、撮像素子２１０の受光面に結像した被写体像は、撮像素子２１０の光電変換機能によって電気信号に変換されて、画像信号として撮像装置２００から出力される。
【００８８】
上述のような撮像レンズ１００は、小型、薄型、軽量で、搭載スペースがコンパクトにできるため、様々な用途の撮像装置に適している。また広角撮像レンズでありながら、諸収差の発生を良好に補正し、高い光学性能を持つ被写体像を撮像素子２１０の受光面上に結像することで視認性に優れた画像信号を出力でき、監視用カメラや車載用カメラ等において優位性の高い撮像装置の実現が可能である。
【００８９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００９０】
１００、１００Ａ〜１００Ｅ・・・撮像レンズ
１１０・・・第１レンズ
１２０・・・第２レンズ
１３０・・・第３レンズ
１４０・・・開口絞り
１５０・・・第４レンズ
１６０・・・ガラス板
１７０・・・撮像素子（結像面）
２００・・・撮像装置
２１０・・・撮像素子
２２０・・・筐体
【図１】
0006517621.tif 000015
【図２】
0006517621.tif 000016
【図３】
0006517621.tif 000017
【図４】
0006517621.tif 000018
【図５】
0006517621.tif 000019
【図６】
0006517621.tif 000020
【図７】
0006517621.tif 000021
【図８】
0006517621.tif 000022
【図９】
0006517621.tif 000023
【図１０】
0006517621.tif 000024
【図１１】
0006517621.tif 000025
【図１２】
0006517621.tif 000026
【図１３】
0006517621.tif 000027